(57)【要約】【課題】風呂場などカビ対策は種々の方法が提案されているが、何れも持続性は限定的である。【解決手段】発明者は約１０年前に風呂場の天井全面に銅箔を貼り付けた結果、その後カビ発生がなくなる顕著な効果を得たので浴室、厨房、食品工場、病院などのカビの発生し易い天井を銅表面で構成する方法を提案する。更にこの実験結果を応用し、カビ・木材腐朽菌の発生し易い床下空間の天井部や防湿シートの表面を銅で構成する。更に浴室、厨房、食品工場、病院などのカビの発生し易い天井を銀表面で構成する方法を提案する。カビ・木材腐朽菌の発生し易い床下空間の天井部や防湿シートの表面を銀で構成する。【選択図】図１
2019178601.tif 000002
【特許請求の範囲】
【請求項１】
風呂場、厨房、食品工場、病院などのカビの発生し易い天井面を銅で表面を構成してカビ防止をするカビ防止具について、銅メッキ鋼板または銅メッキステンレス板を使用して構成したカビ防止具
【請求項２】
前記カビ防止具に、銅表面に凹凸加工を施し、表面積を増加したカビ防止具
【請求項３】
風呂場、厨房、食品工場、病院などのカビの発生し易い天井面を銅で表面を構成してカビ防止をするカビ防止具について、銅表面の一部に緑青付け、黒色化処理などの着色した模様を構成したカビ防止具
【請求項４】
浴室，厨房、食品工場、病院などのカビの発生し易い天井面を銅で表面を銅で構成したカビ防止具に模様形状の緑青付け、黒色化処理などの着色した銅表面の色を有する銅箔またはプラスチックシートを貼り合わせたカビ防止具
【請求項５】
床下空間の天井部の表面を銅で構成したカビ防止具
【請求項６】
床下空間の天井部の表面を銅で構成したカビ防止具について、銅メッキ鋼板または銅メッキステンレス板を使用して構成したカビ防止具
【請求項７】
前記カビ防止具において、銅表面に凹凸加工を施し、表面積を増加したカビ防止具
【請求項８】
床下防湿シートの表面を銅で構成したカビ防止具
【請求項９】
風呂場、厨房、食品工場、病院などのカビの発生し易い天井面を銀で表面を構成してカビ防止をするカビ防止具
【請求項１０】
風呂場、厨房、食品工場、病院などのカビの発生し易い天井面を銀で表面を構成してカビ防止をするカビ防止具
【請求項１１】
床下空間の天井部の表面を銀で構成したカビ防止具
【請求項１２】
床下防湿シートの表面を銀で構成したカビ防止具
【発明の詳細な説明】
【技術分野】
【０００１】本発明は風呂場、厨房、食品工場、病院などカビの発生し易い天井などのカビ防止及び床下のカビ、木材腐朽菌の防止に関するものである。
【背景技術】
【０００２】風呂の天井に巣くうカビの胞子によって発症するアスペルギルス症候群は咳や微熱を発症すると言われている。発見が遅れた場合、致死率も高いとされている。風呂場などのカビ防止対策などについては、５０℃以上の熱湯による方法、銀イオンの煙を発生させる方法、カビ取り剤による方法、壁面のプラスチック材料に銀系抗菌剤を含有させる方法、ニッケル系の抗菌材を含有させる方法、光触媒の表面を構成する方法が提供されている。床下の湿気によるカビ及び木材腐朽菌による建築物の被害は非常に大きい問題である。木材の腐朽は、第一次寄生菌と呼ばれるでんぷんや糖質、その他の炭水化物を栄養源とするカビの胞子が付いて繁殖し、次に第二次寄生菌として、木材に含まれる難分解性のリグニン、セルロース、ヘミセルロースを分解する能力を持つ担子菌や子嚢菌、不完全菌である木材腐朽菌が繁殖し、木材基質を分解することにより行われる。木材腐朽菌の中で、木材を白く変色させるものを白色腐朽菌、木材を褐色に変色させるものを褐色腐朽菌、白色腐朽菌や褐色腐朽菌が腐朽できないような、高含水率の木材の表面に軟化現象を起こさせるものを軟腐朽菌という。一般に存在する木材腐朽菌の９０％以上が白色腐朽菌であるといわれている。また、セルロース等の分解生成物には、シロアリの誘引作用があり、木材の腐朽している部分は、シロアリの被害を受ける可能性が高くなるといわれている。このため、木材の腐朽防止には種々の対策が講じられている。床下の湿気発生、カビ・木材腐朽菌の防止策としてはべた基礎による方法や換気扇の設置、防湿剤の敷き込みなどの方法がある。
【先行技術文献】
【０００３】
【特許文献】
【特許文献】特願２０１７−１５１１２４
【特許文献１】
【発明の概要】
【発明が解決しようとする課題】
【０００４】しかしながら、風呂場のカビ発生について、現在提供されている方法は次のような問題点がある。即ち、熱湯による方法、銀イオンの煙による方法、カビ取り剤による方法は持続性が短い欠点がある。プラスチック材に銀系抗菌剤を含有させる方法は抗菌力が弱く、持続性が短い欠点がある。ニッケル系の抗菌部材による抗菌部材は純銅の表面の抗菌性能には劣る欠点があり、この微紛状の抗菌剤の寿命は短く、これを混入した材料の抗菌寿命は限界がある。光触媒による方法は光がある場合だけの効果しか発揮できない欠点がある。特願２０１７−１５１１２４は銅メッキ材料について更なる改善とデザインの向上の課題があった。次に床下の湿気はベタ基礎を実施してもカビ・木材腐朽菌の発生がある。ベタ基礎のコンクリートから築後１年〜２年は水蒸気の発生がある。更にベタ基礎には水抜き穴があり、ここからも湿気は入り込む。ベタ基礎全体が質量の大きく、熱容量の大きな物体であり、外気温との差による結露は避けがたいという根本的な問題がある。次に示す資料のようにカビの発生を完全に抑制できない。2019178601.tif 000003
【０００５】本発明は従来の方法の問題点を解決しようとするものであり、風呂場のカビ及び床下のカビ・木材腐朽菌の発生を長期間、安定的に防止する方法を提案するものである。
【課題を解決するための手段】
【０００６】本発明は前記の課題を解決する方法として、風呂場などの天井表面を銅で構成し、銅イオンの抗菌作用を利用してカビを防ぐものである。この解決方法による作用は次のようなものである。即ち、風呂場などのカビは天井に巣くった多くの原因菌が胞子をばら撒いてカビの発生を促しており、この対策として天井を銅で構成するものである。天井を銅で構成する方法は建築後の風呂場などの天井に銅メッキ、銅箔、銅メッキ鋼板や銅メッキステンレス板などの構成部を接着または粘着部や吸盤で取り付ける方法と、建築時に天井材建材パネルの表面に銅箔の接着取り付け、メッキ、蒸着などの他、銅メッキ鋼板や銅メッキステンレス板の貼り付けにより、表面に銅を取り付ける方法がある。この二つの解決手段による作用により、建築後と建築時について対策を取ることが出来る。以上の内容について、特願２０１７−１５１１２４によって出願をした。次に特願２０１８−２９１９８及び特願２０１８−８１８３０を出願した。今回の出願特願２０１８−８１８３０の関わるもので、銅メッキ鋼板及び銅メッキステンレス板を使用する手段の追加、銅の表面に模様を手段の追加、床下の防カビ対策に床下天井や防湿シートの表面を銅で構成する手段の追加である。更に本発明は前記の課題を解決する手段として、銅の代わりに銀による手段を追加する。銀は銅のように優れた抗菌性能を有する。風呂場などの天井表面を銀で構成し、銀イオンの抗菌作用を利用してカビを防ぐものである。また、床下の防カビ対策に床下天井や防湿シートの表面を銀で構成する手段を追加する。また床下防湿シートの表面を銀で構成した手段を追加する。【０００７】銅メッキまたは銅メッキステンレス板は日新製鋼株式会社が製造販売を行っている。【０００８】模様を構成する方法としては緑青付け、黒化処理による色付けなどにより行うものである。【０００９】模様加工は金属板印刷の手法などによる印刷の方法と色付けした銅表面を構成したシートを基盤の銅表面に張り付ける方法が出来る。【００１０】銅の緑青付けの方法は次のような方法がある。使用するものは、酢酸銅（さくさんどう：物質が空気中の水蒸気を取り込んだ後、自発的に水溶液となる現象を引き起こす緑青色の結晶）や硝酸銅（しょうさんどう：酸化した銅を酸に溶かして得られる深青色の結晶）を水で溶いたものを銅に塗る。他には、水酸化アンモニウム（アンモニウムを水に溶かしたもの）やミョウバン（塩）を溶かした水を使用する方法もある。市販の緑青の薬品もある。食べる天然の醤油を水で希釈して、銅版表面に塗布（２〜３日で緑青が発生した。）したものでも良い。劇薬の塩化亜鉛を使用する方法もある。これらの水溶液のどれかを金属板に印刷するシルクスクリーンの方法などで付着し、加熱工程により、水分を蒸発させる。その結果、水分だけが無くなり、薬品は銅の表面に残る。その後、日数の経過により、徐々に緑青が発生する。【００１１】銅の黒化処理の方法は銅の黒化処理は硫化物の水溶液を用いて行う。【００１２】床下空間の天井部の表面を銅で構成したカビ防止具については前記の風呂場などの天井表面を銅で構成する手段と同様の手段で対策できる。【００１３】また床下天井の表面を銅で構成する方法は銅メッキ鋼板や銅メッキステンレス板による方法、銅箔による方法、プラスチック表面への銅メッキによる方法が出来る。【００１４】  防湿シートの表面を銅で構成する手段によって対策することが出来る。【００１５】プラスチック材料への銀メッキの方法は金属のように電気伝導体ではないため、直接電気めっきを行うことができない。また、無電解めっきを行うにしても触媒がないので、そのままではめっき反応が起こらない。そのため、プラスチック材料にめっきを行うには、素材表面にパラジウムを吸着させ、この吸着したパラジウムをめっき反応の触媒として無電解めっきを行う。無電解めっき皮膜は金属であるため、電気を流すことが可能となることから、用途に応じて電気めっきや無電解めっきを行う。プラスチックの表面をめっき前工程で素材表面を祖化して凹凸を形成させ、この凹凸にめっきを行うことで得られるアンカー（投錨）効果で密着させる方法で行う。また導電性微粒子による方法が実用化されている。積水化学工業株式会社が１９８９年に取得した基本技術特許であり『ミクロパール』という同社の開発した導電性微粒子は銀メッキの際に使われている。また株式会社山王の特許第６１８６０１９号、導電性微粒子及び導電性微粒子の製造方法による製品も実用化されている。この方法は「銀めっきアクリル粒子」を製造するための基本技術の特許である。この方法により、コア材料のアクリル樹脂上に直接またはニッケル層を介して、緻密な銀層を形成することが可能となる。なお従来から行われている銀系抗菌剤をプラスチックに混練りさせる方法は銀の露出面積が少なく、本発明方式には採用できない。
【発明の効果】
【００１６】本発明のきっかけは約１０年以上前、自宅の風呂場のカビ発生に困った発明者が実験的に、風呂場の天井の全面に銅箔を接着したことである。多少の効果を期待して自作で取り付けたものであった。実験した風呂場の内寸は横幅１６６センチ×奥行き１２２センチ×高さ２１４センチである。天井部分全面に銅の銅箔を両面テープにより張り付けた。粘着部は耐久性が必要であり、ＪＩＳ規格Ｚ１５４１「超強力両面テープ」を使用し、１０年間剥がれは無かった。この超強力両面テープの主な用途は構造用接合部である。その後、驚いたことに約１０年以上に亘って、カビ発生は気にならなくなり、カビ取り作業はなしで済ませることが出来た。天井は勿論、壁面、窓、床にカビの黒ずみは無くなった。風呂場の天井全面を銅表面で覆う１０年以上の長期実験の報告例は発見できず、前記の実験結果は画期的な実験例と評価できる。この実験結果はこれまで未発表である。この効果を生んだ条件の重要な要素は取り付けた銅の表面積が天井全面であることである。次に重要な要素は最も発生しやすい天井面を銅でカバーしたことである。次に重要な要素は風呂場の湯気があがる天井に銅表面を構成したことによって結露した水滴内に銅イオンが溶け込み、これが風呂場全体に蒸発拡散したことである。天井全面積が効果を確かにする閾値である。１０年に亘る実証実験によるこの閾値の発見がこの発明の重要な要素である。以上の閾値の発見を今回の出願では床下のカビ、木材腐朽菌防止に役立てるものである。更に銅表面を構成した防湿シートは抗菌作用を増加できる。【００１７】純銅の抗菌性については、大阪市立大学大学院工学研究所の佐藤嘉洋著が「高温学会誌第２５巻（２００９年５月）」に発表した「金属材料の抗菌性」がある。ｈｔｔｐｓ：／／ｗｗｗ．ｊｓｔａｇｅ．ｊｓｔ．ｇｏ．ｊｐ／ａｒｔｉｃｌｅ／ｊｈｔｓ／３５／３／３５＿１２１／＿ｐｄｆ」当文献の１２３頁のＦｉｇ．３、Ｆｉｇ．４には各元素の生菌数の減少速度を示しているが、銅と銀が抜群の抗菌効果を示している。更には大阪大学大学院宮野泰征、大阪大学大学院小山調裕、大阪大学総合科学研究所Ｋ．Ｒ．スクリーマー、大阪市立大学佐藤嘉洋、大阪大学菊地靖志が「鉄と銅  ＶＯＬ９３（２００７年）」の発表した「各種純金属の抗菌評価」がある。「ｈｔｔｐｓ：／／ｗｗｗ．ｊｓｔａｇｅ．ｊｓｔ．ｇｏ．ｊｐ／ａｒｔｉｃｌｅ／ｔｅｔｓｕｔｏｈａｇａｎｅ／９３／１／９３＿１＿５７／＿ｐｄｆ」当文献の６４頁のＦｉｇ．９、Ｆｉｇ．１０には各元素の微生物の生菌数の変化を示しているが、銅の抗菌効果が良い事を示している。【００１８】ＮＨＫのテレビ放送で次のような放映があった。放送日２０１７年６月１０日９時３１分〜５５分、テーマは「いよいよ梅雨！カビ・ゴキブリ退治大作戦」において大阪自然博物館の外来研究員浜田信夫が浴室にシャーレに寒天を入れて浴室に置いたものが２週間でカビが歴然と目に見える状態になる内容を放映した。この実験に倣って、前記の天井に銅箔を全面に取り付けた自宅の風呂場にシャーレに寒天を入れた実験材料を６月１２日より１０ケ所取り付けた。寒天は５％砂糖溶液により作成した。３６日後の７月１８日時点ではカビの発生は肉眼では見えない状態である。５４日目の８月５日に少量のカビ発生を認めた。その後少量のカビ発生で推移した。この実験結果は天井を銅で構成した浴室の抗菌効果を示すものである。少量でもカビ発生となった理由はシャーレに入った寒天というカビ発生のし易い条件のためである。浴室の壁に比べて特段にカビが発生し易い条件のためである。【００１９】銅の安全性については一般社団法人日本銅センターのホームページに於いて「銅Ｑ＆Ａ」の緑青の説明がある。緑青衛生問題について、１９８４年８月７日厚生省の見解として発表され、水道用銅管に使用することに問題が無いことが確認された。銅屋根は古くから美しい建築美を評価されてきた。インターネットで「銅屋根」または「銅屋根  緑青」の文字で画像を検索すると多くの美しい銅屋根が紹介されている。【００２０】日本では古来、様々なところで銅の釘が利用されてきた。その理由は、銅の高い抗菌性が、広く認知されていたからである。京都府にある離宮八幡宮の木塀には、銅の釘が使用されている。降雨時に銅イオンが溶け出した範囲には、黒カビによる劣化が発生していない。銅の釘周辺は、もとの木材色を保持している。日光山、輪王寺の木塀も銅の釘が使用されている。銅の釘周辺は、黒カビが発生しないばかりでなく、緑藻類も発生していない。【００２１】銅メッキ鋼板または銅メッキステンレス板は大量生産体制が整っており、品質及びコストの面で優れている。銅メッキ鋼板または銅メッキステンレス板は銅箔に比べてメッキ厚３μ〜２０μと薄いが次に示す純銅の大気暴露試験結果がある。雨水による耐食がない風呂場などや床下の場合は条件が緩和されるので寿命は更に伸びる。2019178601.tif 000004
【００２２】  銅表面に緑青の模様を構成してデザインの向上が図れる。【００２３】  銅表面に凹凸部を設けることによって銅表面の表面積が増して抗菌効果が増す。また露頭現象によって出来た水滴が偏った箇所へ集中することを防ぐことが出来る。
【図面の簡単な説明】
【００２４】
【図１】図１は本発明風呂場の天井に取り付けるカビ防止具の一実施例の部分斜視図である。
【図２】図２は本発明風呂場の天井に取り付けるカビ防止具の一実施例の斜視図である。
【図３】図３は本発明を風呂場の天井に取り付けた斜視図である。
【図４】図４は本発明床下空間の天井に取り付けるカビ防止具一実施例の斜視図である。
【図５】図５は本発明床下空間の天井に取り付けるカビ防止具を床下に取り付けた正面図である。
【発明を実施するための形態】
【００２５】  本発明を実施の形態を図によって説明する。
【００２６】  図１は本発明の一実施例の部分斜視図である。１Ａはカビ防止具であり、銅メッキ板、銅箔接着板、銅メッキ鋼板または銅メッキステンレス板または銀メッキ板Ａ−１をベース材料としている。銅メッキ板、銅箔接着板、銅メッキ鋼板または銅メッキステンレス板または銀メッキ板Ａ−１の基本構造はフクビ化学工業株式会社のバスパネルを参考にしている。フクビ化学工業株式会社のバスパネルは１．２ｍｍ厚のアルミ板の裏面に５ｍｍ厚の不燃性断熱材を取り付けている。カビ防止具１Ａはアルミ板に替えて銅メッキ板、銅箔接着板、銅メッキ鋼板または銅メッキステンレス板または銀メッキ板１Ａ−１を使用する。銅メッキ鋼板及び銅メッキステンレス板は日新製鋼株式会社が製造販売を行っている。銅メッキ鋼板については「カッパータイト」、銅メッキステンレス板については「カッパーソフテン」の商品名で販売している。「カッパータイト」は板厚０．２５ｍｍ〜２．３ｍｍ、銅メッキ厚は３μ〜２０μである。表裏のメッキ厚については同じ厚みのもの差厚のもが出来る。「カッパーソフテン」は板厚０．２５ｍｍ〜０．８ｍｍ、銅メッキ厚は表面１０μ、裏面２μである。このカビ防止具１Ａは銅メッキ板、銅箔接着板、銅メッキ鋼板または銅メッキステンレス板または銀メッキ板１Ａ−１，銅または銀表面１Ａ−２，凹凸部１Ａ−２−１、不燃性断熱材１Ａ−３により構成される。凹凸部１Ａ−２−１はエンボス加工などにより、銅表面１Ａ−２に凹凸加工により構成する。図２は本発明の一実施例の斜視図である。１Ｂはカビ防止具であり、これはシート１Ｂ−１、銅表面または銀表面１Ｂ−２、凹凸部１Ｂ−２−１，模様１Ｂ−２−２、粘着部１Ｂ−３で構成される。模様の加工は図１のカビ防止具でも有効であるが、図２は既存の風呂場などの天井に取り付けるシート状のカビ防止具に模様を構成したものである。シート１Ｂ−１は銅メッキプラスチックのシートまたは鋼板など金属のシート、または銀メッキシートである。プラスチックシートの表面に電磁シールド材の接着、銅箔の接着、銅メッキまたは銀メッキにより銅の表面または銀表面１Ｂ−２−１を構成する。既存の風呂場の天井に取り付ける場合、取扱いのし易さからはプラスチックシートの表面に銅メッキまたは銀メッキを施したものが望ましい。図１のバスパネルの場合は銅メッキ鋼板または銅メッキステンレス板または銀メッキ板に模様加工を施す事ができる。銅表面または銀表面の表面１Ｂ−２に銅を使用した場合、緑青模様１Ｂ−２−１を構成する。裏面には粘着部１Ｂ−３を取り付ける。粘着部１Ｂ−３の代わりに吸盤を取り付ける方法も出来る。吸盤を使用する際には裏面にも銅または銀表面を構成し、カビ発生を防ぐ必要がある。また吸盤は埋め込み式にして裏面と天井を密着させることでカビ発生を防ぐことが出来る。模様１−２−１は醤油などの発色材水溶液を金属板に印刷するシルクスクリーンの方法などで付着し、加熱工程により、水分を蒸発させる。その結果、水分だけが無くなり、薬品は銅の表面に残る。その後、日数の経過により、徐々に緑青が発生する。図１のバスパネルの場合は材料の金属薄板コイルを連続印刷することが出来る。
【００２７】図３は本発明を風呂場の天井に取り付けた斜視図である。１はカビ防止具、２は風呂場である。
【００２８】図４は床下の取り付けるカビ防止具３の斜視図である。銅メッキ鋼板または銅メッキ板、銅箔接着板、銅メッキステンレス板または銀メッキ板３−１、銅表面または銀表面３−２、凹凸部３−２−１、合板３−３で構成される。銅メッキ鋼板または銅メッキ板、銅箔接着板、銅メッキステンレス板または銀メッキ板３−１は銅メッキプラスチック、銅箔でも良い。図５は本発明床下空間の天井に取り付けるカビ防止具を床下に取り付けた斜視図である。床下カビ防止具３は根太の上から銅表面または銀表面を床下に向けて取り付ける方法と床下から銅表面または銀表面を下に向けて取り付ける方法ができる。床下から取り付ける方法は既存の建物について、容易に取りつけることが出来る。床下の根太、束についても銅表面または銀表面を構成することも出来る。床下から取り付ける際の作業効率を良くする方法としては図３の様なパネル状構造体が望ましい。パネルのサイズは根太の間隔に合わせたサイズに構成する。床下作業で、図３のパネルを取り付けする方法はステッチガンによる方法、回しつまみ付きスクリュウ針、円盤状スペーサによる画鋲を使用する方法などが出来る。図３のパネルは両面に銅または銀の表面を構成することも出来る。図には示さないが銅表面または銀表面を構成した防湿シートを床下に設置する方式が出来る。電磁遮蔽シートを転用して銅表面を有する防湿シートとして使用できる。
【産業上の利用の可能性】
【００２９】本発明は以上のような構成のため、風呂場、厨房、食品工場、病院などの抗菌及び床下の抗菌について広く使用できる。衛生状態の良くない後進国の環境改善に役立てることができる。
【符号の説明】１Ａ：カビ防止具１Ａ−１：銅メッキ板、銅箔接着板、銅メッキ鋼板または銅メッキステンレス板または銀メッキ板１Ａ−２：銅表面または銀表面１Ａ−２−１：凹凸部１Ａ−２−１；模様１Ａ−３：不燃性断熱材１Ｂ：カビ防止具１Ｂ−１：シート１Ｂ−２：銅表面または銀表面１Ｂ−２−１：凹凸部１Ｂ−２−２：模様１Ｂ−３：粘着部２：風呂場３：床下用カビ防止具３−１：銅メッキ板、銅箔接着板、銅メッキ鋼板または銅メッキステンレス板または銀メッキ板３−２：銅表面または銀表面３−２−１：凹凸部３−３：合板４：床下４−１：束石４−２：床束４−３：大引き４−４：根太４−５：捨て板４−６：フローリング
【図１】
2019178601.tif 000005
【図２】
2019178601.tif 000006
【図３】
2019178601.tif 000007
【図４】
2019178601.tif 000008
【図５】
2019178601.tif 000009